【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
第１の送信機において、メッセージの第１の送信機会（ＴＸＯＰ）の再使用を許可するかどうかを決定することと、
前記第１のＴＸＯＰの再使用を許可すると決定したことに基づいて前記メッセージの一部分の値を設定することと、
前記第１の送信機から第１の受信機に前記メッセージの前記一部分を送ることと、ここにおいて、前記メッセージの前記一部分は、再使用送信機による前記第１のＴＸＯＰの再使用が許可されることを示しており、前記第１のＴＸＯＰの再使用が許可されるときには、前記第１のＴＸＯＰ中に前記第１の送信機が前記第１の受信機に前記メッセージの第２の部分を送る一方で、前記再使用送信機が第２のメッセージを送ることを許可される、
を備える方法。
【請求項２】
前記値は、物理レイヤコンバージェンスプロトコル（ＰＬＣＰ）プリアンブル、媒体アクセス制御（ＭＡＣ）ヘッダ、または送信要求（ＲＴＳ）メッセージに含まれる、請求項１に記載の方法。
【請求項３】
前記値は、前記メッセージの物理レイヤコンバージェンスプロトコル（ＰＬＣＰ）プリアンブルの信号（ＳＩＧ）フィールドに含まれる、請求項１に記載の方法。
【請求項４】
前記ＳＩＧフィールドは、電気電子技術者協会（ＩＥＥＥ）８０２．１１ａｃ  ＳＩＧ−Ａフィールドを備える、請求項３に記載の方法。
【請求項５】
前記ＰＬＣＰプリアンブルは、高効率ワイヤレス（ＨＥＷ）プリアンブルである、請求項３に記載の方法。
【請求項６】
前記ＰＬＣＰプリアンブルは、前記第１の送信機の基本サービスセット識別情報（ＢＳＳＩＤ）を示す、請求項３に記載の方法。
【請求項７】
前記ＳＩＧフィールドは、前記第１の送信機に関連する送信機アドレスの少なくとも一部分を示し、前記第１の受信機に関連する受信機アドレスの少なくとも一部分を示す、請求項３に記載の方法。
【請求項８】
前記第１の送信機において、第３のメッセージに関連する第２のＴＸＯＰの再使用を許可するかどうかを決定することと、
前記メッセージが送られた後に、前記第２のＴＸＯＰに関連する前記第３のメッセージを送ることと、ここにおいて、前記第３のメッセージの第３の部分は、前記再使用送信機による前記第２のＴＸＯＰの再使用が許可されるかどうかを示す、
をさらに備える、請求項１に記載の方法。
【請求項９】
プロセッサと、
メモリであって、
メッセージの第１の送信機会（ＴＸＯＰ）の再使用を許可するかどうかを決定することと、
前記第１のＴＸＯＰの再使用を許可するとの決定に基づいて前記メッセージの一部分の値を設定することと、
前記メッセージの前記一部分を送ることを開始することと、ここにおいて、前記メッセージの前記一部分は、再使用送信機による前記第１のＴＸＯＰの再使用が許可されることを示しており、前記第１のＴＸＯＰの再使用が許可されるときには、前記第１のＴＸＯＰ中に第１の送信機が第１の受信機に前記メッセージの第２の部分を送る一方で、前記再使用送信機が第２のメッセージを送ることを許可される、
を前記プロセッサに行わせるように前記プロセッサによって実行可能な命令を記憶するように構成されたメモリと
を備える装置。
【請求項１０】
前記命令は、第１の基本サービスセット（ＢＳＳ）における第１の受信機と前記第１の送信機との間のリンクの信号強度に基づいて、前記第１のＴＸＯＰの再使用を許可するかどうかを決定することを前記プロセッサに行わせるように前記プロセッサによってさらに実行可能である、請求項９に記載の装置。
【請求項１１】
前記命令は、第１の受信機とのハンドシェイク交換を実行することを前記プロセッサに行わせるように前記プロセッサによってさらに実行可能であり、前記ハンドシェイク交換は、前記メッセージに関連付けられる、請求項９に記載の装置。
【請求項１２】
前記第１の送信機および前記第１の受信機は、ピアツーピアネットワークに含まれる、請求項９に記載の装置。
【請求項１３】
前記再使用送信機および再使用受信機は、ピアツーピアネットワークに含まれる、請求項９に記載の装置。
【請求項１４】
再使用送信機において、第１の送信機によって第１の受信機に送られたメッセージの一部分を検出することと、ここにおいて、前記一部分は、前記再使用送信機による、前記メッセージの第１の送信機会（ＴＸＯＰ）の再使用が許可されることを示す値を含み、前記値はアドレス値とは異なるものである、
前記一部分に基づいて、前記再使用送信機による前記第１のＴＸＯＰの再使用が許可されるかどうかを決定することと、ここにおいて、前記第１のＴＸＯＰの再使用が許可されるときには、前記第１のＴＸＯＰ中に前記第１の送信機が前記第１の受信機に前記メッセージの第２の部分を送る一方で、前記再使用送信機が第２のメッセージを送ることを許可される、
を備える方法。
【請求項１５】
前記第１のＴＸＯＰの再使用が許可されるときに、前記第１のＴＸＯＰを再使用するかどうかを前記再使用送信機において決定することをさらに備える、請求項１４に記載の方法。
【請求項１６】
前記第１のＴＸＯＰを再使用することの決定は、前記メッセージが前記再使用送信機にアドレス指定されているかどうか、前記第１のＴＸＯＰの再使用中に前記再使用送信機によって送られる第２のメッセージが前記メッセージの前記第１の受信機にアドレス指定されているかどうか、またはそれらの組合せに基づく、請求項１５に記載の方法。
【請求項１７】
前記第１のＴＸＯＰを再使用することの決定は、前記再使用送信機によって支持されるネットワーク割振りベクトル（ＮＡＶ）が前記第１の送信機によって設定されたかどうかにさらに基づく、請求項１５に記載の方法。
【請求項１８】
前記第１のＴＸＯＰを再使用することの決定は、再使用受信機への前記再使用送信機の物理的近接性、前記再使用送信機に記憶された履歴データ、前記再使用送信機と再使用受信機との間のハンドシェイク交換、またはそれらの組合せに基づく、請求項１５に記載の方法。
【請求項１９】
前記第１のＴＸＯＰを再使用すると決定したことに応答して、前記第１のＴＸＯＰ中に前記再使用送信機から前記第２のメッセージを送ることをさらに備え、ここにおいて、前記第２のメッセージは、前記第１のＴＸＯＰの前または前記第１のＴＸＯＰと同時に終了する第２のＴＸＯＰに関連付けられる、請求項１５に記載の方法。
【請求項２０】
前記第１のＴＸＯＰを再使用することの決定は、前記第１の受信機によって受け入れ可能である干渉レベルに基づく、請求項１５に記載の方法。
【請求項２１】
前記再使用送信機は、前記第１の受信機から受信された管理メッセージに基づいて前記干渉レベルを決定する、請求項２０に記載の方法。
【請求項２２】
前記再使用送信機は、送信要求（ＲＴＳ）メッセージまたは前記第１の受信機から送られた送信可（ＣＴＳ）メッセージに基づいて前記干渉レベルを決定し、ここにおいて、前記ＲＴＳメッセージまたは前記ＣＴＳメッセージは、前記メッセージの前に送られた特定のメッセージに関連付けられる、請求項２０に記載の方法。
【請求項２３】
前記再使用送信機は、前記第１の受信機に関連するクリアチャネルアクセス（ＣＣＡ）レベルに基づいて前記干渉レベルを決定し、ここにおいて、前記ＣＣＡレベルは、前記第１の受信機によって送られたブロック確認応答（ＢＡ）に基づいて決定される、請求項２０に記載の方法。
【請求項２４】
前記第１のＴＸＯＰの持続時間を決定することをさらに備え、ここにおいて、前記第１のＴＸＯＰの前記持続時間は、前記メッセージに関連するプリアンブルにおけるレガシー信号（Ｌ−ＳＩＧ）フィールドに基づいて、または前記第１の送信機に関連するネットワーク割振りベクトル（ＮＡＶ）に基づいて決定される、請求項１４に記載の方法。
【請求項２５】
前記第１のＴＸＯＰを再使用することの決定に応答して、譲歩／バックオフ時間期間中に１つまたは複数の譲歩／バックオフルールを適用することをさらに備える、請求項１４に記載の方法。
【請求項２６】
前記メッセージの前記一部分は、前記第１のＴＸＯＰの開始前に検出される、請求項１４に記載の方法。
【請求項２７】
再使用送信機において、第１の送信機によって送られた第１のメッセージの一部分に含まれる値を検出することと、前記値は、アドレス値とは異なるものであり、前記第１のメッセージの第１の送信機会（ＴＸＯＰ）の再使用が許可されることを示す、
前記再使用送信機において、前記値に基づくデータを記憶することと、
前記再使用送信機において、前記第１の送信機によって送られた第２のメッセージの一部分を検出することと、ここにおいて、前記一部分は、前記第２のメッセージの第２のＴＸＯＰの再使用が許可されるかどうかのインジケーションを含まない、
前記データに基づいて、前記再使用送信機によって前記第２のＴＸＯＰを再使用するかどうかを決定することと
を備える方法。
【請求項２８】
前記再使用送信機は、前記第１のメッセージの第１の宛先に基づく干渉レベルに基づいて、前記第１のＴＸＯＰ中に前記再使用送信機によって送られる前記第２のメッセージの第２の宛先に基づいて、前記第１のメッセージの信号強度に基づいて、ネットワーク割振りベクトル（ＮＡＶ）が設定されていないとの決定に基づいて、またはそれらの組合せに基づいて、前記第１のＴＸＯＰを再使用するかどうかを決定する、請求項２７に記載の方法。
【請求項２９】
前記第１のメッセージおよび前記第２のメッセージは両方とも第１の受信機に送られ、前記データは、前記第１のＴＸＯＰを再使用することの明白な許可を前記再使用送信機が受信したかどうかを示す、請求項２７に記載の方法。
【請求項３０】
前記値は、前記第１の送信機の第１のアドレスおよび前記第１の受信機の第２のアドレスとは異なるものである、請求項２９に記載の方法。
【手続補正２】
【補正対象書類名】明細書
【補正対象項目名】０２４３
【補正方法】変更
【補正の内容】
【０２４３】
[00263]開示した実施形態の上記の説明は、開示した実施形態を当業者が作成または使用することを可能にするために提供されている。これらの実施形態に対する様々な修正は、当業者には容易に明らかであり、本明細書で定義されている原理は、本開示の範囲から逸脱することなく、他の実施形態に適用され得る。したがって、本開示は、本明細書に示されている実施形態に限定されることを意図されておらず、以下の特許請求の範囲によって定義される原理および新規な特徴と一致する可能な最も広い範囲を与えられるべきである。
以下に、本願出願の当初の特許請求の範囲に記載された発明を付記する。
［Ｃ１］
第１の送信機において、メッセージに関連する第１の送信機会（ＴＸＯＰ）の再使用を許容するかどうかを決定することと、
前記第１の送信機から第１の受信機に前記メッセージの一部分を送ることと、ここにおいて、前記メッセージの前記一部分は、再使用送信機による前記第１のＴＸＯＰの再使用が許可されるかどうかを示しており、前記第１のＴＸＯＰの再使用が許可されるときには、前記第１のＴＸＯＰ中に前記第１の送信機が前記第１の受信機に前記メッセージの第２の部分を送る一方で、前記再使用送信機が第２のメッセージを送ることを許可される、
を備える方法。
［Ｃ２］
前記メッセージの前記一部分は、物理レイヤコンバージェンスプロトコル（ＰＬＣＰ）プリアンブル、媒体アクセス制御（ＭＡＣ）ヘッダ、または送信要求（ＲＴＳ）メッセージにおける１つまたは複数の値に少なくとも部分的に基づいて、前記第１のＴＸＯＰの再使用が許可されることを示す、Ｃ１に記載の方法。
［Ｃ３］
前記メッセージの前記一部分は、前記メッセージの物理レイヤコンバージェンスプロトコル（ＰＬＣＰ）プリアンブルの信号（ＳＩＧ）フィールドにおける１つまたは複数の値に少なくとも部分的に基づいて、前記第１のＴＸＯＰの再使用が許可されることを示す、Ｃ１に記載の方法。
［Ｃ４］
前記ＳＩＧフィールドは、電気電子技術者協会（ＩＥＥＥ）８０２．１１ａｃ  ＳＩＧ−Ａフィールドを備える、Ｃ３に記載の方法。
［Ｃ５］
前記ＰＬＣＰプリアンブルは、高効率ワイヤレス（ＨＥＷ）プリアンブルである、Ｃ３に記載の方法。
［Ｃ６］
前記ＰＬＣＰプリアンブルは、前記第１の送信機の基本サービスセット識別情報（ＢＳＳＩＤ）を示す、Ｃ３に記載の方法。
［Ｃ７］
前記ＳＩＧフィールドは、前記第１の送信機に関連する送信機アドレスの少なくとも一部分を示し、前記第１の受信機に関連する受信機アドレスの少なくとも一部分を示す、Ｃ３に記載の方法。
［Ｃ８］
前記第１の送信機において、第３のメッセージに関連する第２のＴＸＯＰの再使用を許容するかどうかを決定することと、
前記第１のメッセージが送られた後に、前記第２のＴＸＯＰに関連する前記第３のメッセージを送ることと、ここにおいて、前記第３のメッセージの第３の部分は、前記再使用送信機による前記第２のＴＸＯＰの再使用が許可されるかどうかを示す、
をさらに備える、Ｃ１に記載の方法。
［Ｃ９］
プロセッサと、
メモリであって、
メッセージに関連する第１の送信機会（ＴＸＯＰ）の再使用を許容するかどうかを決定することと、
前記メッセージの一部分を送ることと、ここにおいて、前記メッセージの前記一部分は、再使用送信機による前記第１のＴＸＯＰの再使用が許可されるかどうかを示しており、前記第１のＴＸＯＰの再使用が許可されるときには、前記第１のＴＸＯＰ中に第１の送信機が第１の受信機に前記メッセージの第２の部分を送る一方で、前記再使用送信機が第２のメッセージを送ることを許可される、
を備える動作を実行するように前記プロセッサによって実行可能な命令を記憶するように構成されたメモリと
を備える装置。
［Ｃ１０］
前記動作は、第１の基本サービスセット（ＢＳＳ）における第１の受信機と前記第１の送信機との間のリンクの信号強度に基づいて、前記第１のＴＸＯＰの再使用を許可するかどうかを決定することをさらに備える、Ｃ９に記載の装置。
［Ｃ１１］
前記動作は、第１の受信機とのハンドシェイク交換を実行することをさらに備え、前記ハンドシェイク交換は、前記メッセージに関連付けられる、Ｃ９に記載の装置。
［Ｃ１２］
前記第１の送信機および前記第１の受信機は、ピアツーピアネットワークに含まれる、Ｃ９に記載の装置。
［Ｃ１３］
前記再使用送信機および再使用受信機は、ピアツーピアネットワークに含まれる、Ｃ９に記載の装置。
［Ｃ１４］
再使用送信機において、第１の送信機によって送られたメッセージの一部分を検出することと、ここにおいて、前記メッセージの前記一部分は、前記再使用送信機による、前記メッセージに関連する第１の送信機会（ＴＸＯＰ）の再使用が許可されることを示す、
前記一部分に基づいて、前記再使用送信機による前記第１のＴＸＯＰの再使用が許可されるかどうかを決定することと、ここにおいて、前記第１のＴＸＯＰの再使用が許可されるときには、前記第１のＴＸＯＰ中に前記第１の送信機が第１の受信機に前記メッセージの第２の部分を送る一方で、前記再使用送信機が第２のメッセージを送ることを許可される、
を備える方法。
［Ｃ１５］
前記第１のＴＸＯＰの再使用が許可されるときに、前記第１のＴＸＯＰを再使用するかどうかを前記再使用送信機において決定することをさらに備える、Ｃ１４に記載の方法。
［Ｃ１６］
前記第１のＴＸＯＰを再使用することの決定は、前記メッセージが前記再使用送信機にアドレス指定されているかどうか、前記第１のＴＸＯＰの再使用中に前記再使用送信機によって送られる第２のメッセージが前記メッセージの前記第１の受信機にアドレス指定されているかどうか、またはそれらの組合せに基づく、Ｃ１５に記載の方法。
［Ｃ１７］
前記第１のＴＸＯＰを再使用することの決定は、前記再使用送信機によって支持されるネットワーク割振りベクトル（ＮＡＶ）が前記第１の送信機によって設定されたかどうかにさらに基づく、Ｃ１５に記載の方法。
［Ｃ１８］
前記第１のＴＸＯＰを再使用することの決定は、再使用受信機への前記再使用送信機の物理的近接性、前記再使用送信機に記憶された履歴データ、前記再使用送信機と再使用受信機との間のハンドシェイク交換、またはそれらの組合せに基づく、Ｃ１５に記載の方法。
［Ｃ１９］
前記第１のＴＸＯＰを再使用することを決定したことに応答して、前記第１のＴＸＯＰ中に前記再使用送信機から前記第２のメッセージを送ることをさらに備え、ここにおいて、前記第２のメッセージは、前記第１のＴＸＯＰの前または前記第１のＴＸＯＰと同時に終了する第２のＴＸＯＰに関連付けられる、Ｃ１５に記載の方法。
［Ｃ２０］
前記第１のＴＸＯＰを再使用することの決定は、前記第１の受信機によって受け入れ可能である干渉レベルに基づく、Ｃ１５に記載の方法。
［Ｃ２１］
前記再使用送信機は、前記第１の受信機から受信された管理メッセージに基づいて前記干渉レベルを決定する、Ｃ２０に記載の方法。
［Ｃ２２］
前記再使用送信機は、送信要求（ＲＴＳ）メッセージまたは前記第１の受信機から送られた送信可（ＣＴＳ）メッセージに基づいて前記干渉レベルを決定し、ここにおいて、前記ＲＴＳメッセージまたは前記ＣＴＳメッセージは、前記メッセージの前に送られた特定のメッセージに関連付けられる、Ｃ２０に記載の方法。
［Ｃ２３］
前記再使用送信機は、前記第１の受信機に関連するクリアチャネルアクセス（ＣＣＡ）レベルに基づいて前記干渉レベルを決定し、ここにおいて、前記ＣＣＡレベルは、前記第１の受信機によって送られたブロック確認応答（ＢＡ）に基づいて決定される、Ｃ２０に記載の方法。
［Ｃ２４］
前記第１のＴＸＯＰの持続時間を決定することをさらに備え、ここにおいて、前記第１のＴＸＯＰの前記持続時間は、前記メッセージに関連するプリアンブルにおけるレガシー信号（Ｌ−ＳＩＧ）フィールドに基づいて、または前記第１の送信機に関連するネットワーク割振りベクトル（ＮＡＶ）に基づいて決定される、Ｃ１４に記載の方法。
［Ｃ２５］
前記第１のＴＸＯＰを再使用することの決定に応答して、譲歩／バックオフ時間期間中に１つまたは複数の譲歩／バックオフルールを適用することをさらに備える、Ｃ１４に記載の方法。
［Ｃ２６］
前記メッセージの前記一部分は、前記第１のＴＸＯＰの開始前に検出される、Ｃ１４に記載の方法。
［Ｃ２７］
再使用送信機において、第１の送信機会（ＴＸＯＰ）に関連するデータを記憶することと、ここにおいて、前記第１のＴＸＯＰは、第１の送信機によって送られた第１のメッセージに関連付けられる、
前記再使用送信機において、前記第１の送信機によって送られた第２のメッセージの一部分を検出することと、ここにおいて、前記一部分は、前記第２のメッセージに関連する第２のＴＸＯＰの再使用が許可されるかどうかのインジケーションを含まない、
前記第１のＴＸＯＰに関連する前記データに基づいて、前記再使用送信機によって前記第２のＴＸＯＰを再使用するかどうかを決定することと
を備える方法。
［Ｃ２８］
前記再使用送信機は、前記メッセージの第１の宛先に基づく干渉レベルに基づいて、前記第１のＴＸＯＰ中に前記再使用送信機によって送られる第２のメッセージの第２の宛先に基づいて、前記メッセージの信号強度に基づいて、ネットワーク割振りベクトル（ＮＡＶ）が設定されていないとの決定に基づいて、またはそれらの組合せに基づいて、前記第１のＴＸＯＰを再使用するかどうかを決定する、Ｃ２７に記載の方法。
［Ｃ２９］
前記第１のメッセージおよび前記第２のメッセージは両方とも第１の受信機に送られる、Ｃ２７に記載の方法。
［Ｃ３０］
前記データは、前記第１のＴＸＯＰを再使用することの明白な許可を前記再使用送信機が受信したかどうかを示す、Ｃ２７に記載の方法。